(57)【要約】【課題】経年変化による色度点とＲＧＢの輝度バランスのずれを補正し、色再現性及び輝度バランスの劣化を軽減するＥＬカラーディスプレイ補正装置を提供する。【解決手段】本発明のＥＬカラーディスプレイ補正装置は、ＲＧＢ各色のサブピクセルの点灯時間を累計する点灯時間累計手段と、その累計時間に基づいて色度点の劣化を予測し色度点劣化情報を生成する色度点劣化情報生成手段と、その累計時間に基づいて輝度の劣化を予測し輝度劣化情報を生成する輝度劣化情報生成手段と、色度点劣化情報に基づいて色再現性の補正を行う色補正手段１０２と、輝度劣化情報に基づいてＲＧＢの輝度バランスの補正を行うガンマ補正手段２０１とを有する。【選択図】        図１
2004325565.tif 000002
【特許請求の範囲】
【請求項１】
Ｒ映像信号、Ｇ映像信号及びＢ映像信号を入力し、これらの映像信号に対して色補正パラメータに基づき色補正を行い、補正Ｒ映像信号、補正Ｇ映像信号及び補正Ｂ映像信号として出力する色補正手段と、
夫々独立のガンマ処理パラメータに基づいて、前記色補正Ｒ映像信号を補正してガンマ補正Ｒ映像信号として出力し、色補正Ｇ映像信号を補正してガンマ補正Ｇ映像信号として出力し、色補正Ｂ映像信号を補正してガンマ補正Ｂ映像信号として出力するガンマ処理手段と、
前記ガンマ補正Ｒ映像信号、ガンマ補正Ｇ映像信号及びガンマ補正Ｂ映像信号を入力し、ＲＧＢのサブピクセルを発光させてカラー表示を行うカラーエレクトロルミネッセンス（以下、「カラーＥＬ」と略す。）パネルと、
前記カラーＥＬパネルのＲＧＢのサブピクセルの夫々の点灯時間の累計を算出しＲ点灯時間累計時間、Ｇ点灯時間累計時間及びＢ点灯時間累計時間として出力する点灯時間累計手段と、
点灯時間経過に対する前記カラーＥＬパネルの色度点の劣化特性を予め記憶し、前記Ｒ点灯時間累計時間、Ｇ点灯時間累計時間及びＢ点灯時間累計時間と色度点の劣化特性とから前記カラーＥＬパネルの赤、緑及び青の色度点の劣化の程度をそれぞれ示すＲ色度点劣化情報、Ｇ色度点劣化情報及びＢ色度点劣化情報を導出し、出力する色度点劣化情報生成手段と、
点灯時間経過に対する前記カラーＥＬパネルのＲＧＢのサブピクセルの輝度の劣化特性を予め記憶し、前記Ｒ点灯時間累計時間、Ｇ点灯時間累計時間及びＢ点灯時間累計時間と輝度の劣化特性とから前記カラーＥＬパネルの赤、緑及び青の各輝度の劣化の程度を示すＲ輝度劣化情報、Ｇ輝度劣化情報及びＢ輝度劣化情報を導出し、出力する輝度劣化情報生成手段と、
初期状態における前記カラーＥＬパネルのＲＧＢ各色の輝度情報を予め記憶し、前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し出力するガンマ処理パラメータ算出手段と、
初期状態における前記カラーＥＬパネルのＲＧＢ各色の色再現領域を予め記憶し、前記色補正パラメータによる前記色補正手段における処理と前記ガンマ処理パラメータによる前記ガンマ処理手段における処理とにより変化した劣化した状態における前記カラーＥＬパネルの色再現領域が、初期状態における前記カラーＥＬパネルの色再現領域に近似するように、前記Ｒ色度点劣化情報、Ｇ色度点劣化情報及びＢ色度点劣化情報に基づいて、前記色補正パラメータを算出し出力するガンマ入力付き色補正パラメータ算出手段と、を有することを特徴とするＥＬカラーディスプレイ補正装置。
【請求項２】
前記ガンマ処理パラメータ算出手段に代えて重み付け機能付きガンマ処理パラメータ算出手段を有し、
前記重み付け機能付きガンマ処理パラメータ算出手段は、
初期状態における前記カラーＥＬパネルのＲＧＢ各色の輝度情報と、初期状態におけるガンマ処理パラメータと、を予め記憶し、
前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し、初期状態におけるガンマ処理パラメータと劣化した状態における前記カラーＥＬパネルのＲＧＢ各色の輝度バランスを補正せしめるガンマ処理パラメータとを重み付け情報に基づき内挿補間した値を算出し、重み付けガンマ処理パラメータとして出力し、
前記ガンマ処理手段及び前記色補正パラメータ算出手段は、前記ガンマ処理パラメータに代えて前記重み付けガンマ処理パラメータを入力することを特徴とする請求項１に記載のＥＬカラーディスプレイ補正装置。
【請求項３】
前記重み付け機能付きガンマ処理パラメータ算出手段は、前記Ｒ輝度劣化情報、Ｇ輝度劣化情報及びＢ輝度劣化情報が示す劣化の程度が進んでＲＧＢ各色の輝度バランスが変化するにつれて、前記重み付けガンマ処理パラメータが、劣化した状態における前記カラーＥＬパネルのＲＧＢ各色の輝度バランスを補正せしめるガンマ処理パラメータに近づくように重み付け情報の値を変更して、前記重み付けガンマ処理パラメータを生成し出力することを特徴とする請求項２に記載のＥＬカラーディスプレイ補正装置。
【請求項４】
ユーザが前記重み付け情報の値を変更可能であることを特徴とする請求項２に記載のＥＬカラーディスプレイ補正装置。
【請求項５】
前記ガンマ処理パラメータ算出手段に代えてリミッタ付きガンマ処理パラメータ算出手段を有し、
前記リミッタ付きガンマ処理パラメータ算出手段は、
初期状態における前記カラーＥＬパネルのＲＧＢ各色の輝度情報を予め記憶し、
前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し、前記ガンマ処理パラメータに基づいた前記ガンマ処理手段でのＲＧＢ各色の輝度の減衰率を算出し、前記減衰率が所定の閾値以下であれば、算出した前記ガンマ処理パラメータをリミッタ付きガンマ処理パラメータとして出力し、前記減衰率が前記閾値より大きければ、前記閾値と同一の値の前記減衰率を生じる前記ガンマ処理パラメータをリミッタ付きガンマ処理パラメータとして出力し、
前記ガンマ処理手段及び前記色補正パラメータ算出手段は、前記ガンマ処理パラメータに代えて前記リミッタ付きガンマ処理パラメータを入力することを特徴とする請求項１に記載のＥＬカラーディスプレイ補正装置。
【請求項６】
ユーザが前記閾値を変更可能であることを特徴とする請求項５に記載のＥＬカラーディスプレイ補正装置。
【発明の詳細な説明】
【０００１】
【発明の属する技術分野】
本発明は、ＥＬカラーディスプレイ補正装置に関する。
【０００２】
【従来の技術】
エレクトロルミネッセンス（ＥＬ）素子を用いたカラーディスプレイのカラー化方式として、３色並置方式、白色方式、色変換方式等の方式が提案されている。これらの中で、３色並置方式が最も一般的である。３色並置方式のＥＬカラーディスプレイ補正装置は複数の画素（ピクセル）を有し、各画素はＲＧＢ（赤緑青）各色の発光素子（サブピクセル）で構成されている。
近年では発光材料として有機物を用いたＥＬ素子（以下、「有機ＥＬ素子」と呼ぶ。）で構成された有機ＥＬカラーディスプレイが注目を集めている。しかし、有機ＥＬ素子は、発光時間の経過に伴い輝度が低下する。現時点では有機ＥＬ素子はＣＲＴ等の他のディスプレイデバイスと比較して経時的な劣化が大きく、ＥＬカラーディスプレイを実用化する上で大きな課題となっている。さらに、有機ＥＬ素子を用いたカラーディスプレイは、ＲＧＢの夫々のサブピクセルに異なる発光材料からなる発光素子を用いており、それらの劣化特性はそれぞれ異なる。
例として、図２にＲＧＢ各色の有機ＥＬ素子の経時的な輝度劣化特性を示す。ＲＧＢ夫々の発光素子の初期状態の輝度を１で正規化し、ＥＬ素子を一定の電圧で発光させ続けた場合の輝度の低下をグラフ化した。図２において縦軸は各発光素子の輝度を表し、横軸は時間を表す。この例の場合、特に青色発光素子の劣化が大きい。
【０００３】
このようなことから、有機ＥＬ素子を用いたカラーディスプレイは、時間経過に伴い、輝度の低下と色のバランスの変化とが生じる。
この課題に対する改善方法として、特開２００２−６７９６号公報に、発光材料の経年変化によりＲＧＢ各色の輝度が低下してくると、ホワイトバランスが正しくなるように、ＲＧＢ各色毎にガンマテーブルを調整する従来例１の方式が提案されている。
図３及び４に従来例１の方式におけるガンマテーブルの例を示す（上記公報に記載された方式に基づいて発明者が新たに作成した図である。）。図３は初期状態における従来例１の方式のガンマテーブルの例である。初期状態では、ガンマテーブルの入出力特性はガンマ＝１．０であり、ＲＧＢ各色とも同じであるとする。図４は、一定の時間が経過した時点での補正されたガンマテーブルの例である。この時点では、赤色の発光素子の劣化が最も激しく、続いて緑、青の順に劣化が大きいものとする。ガンマテーブルにおいて、輝度の劣化が大きい赤色のガンマ特性は保持し、輝度の劣化が小さい青及び緑のガンマ特性を、最大輝度を抑制する方向に補正し、ホワイトバランスが正しく保たれるようにする。
【０００４】
【特許文献１】
特開２００２−６７９６号公報
【０００５】
【発明が解決しようとする課題】
しかしながら従来例１の方式では、次のような課題がある。第１に、ＲＧＢの輝度のバランス（ホワイトバランス）が一定になるように各発光素子の輝度を調整する機能のみを有している故に、ＲＧＢ各色の発光素子の色度点の経年変化を、独立に補正することができない。第２に、ＲＧＢ各色のうち最も劣化が大きい色を基準としてホワイトバランスが取れるように、他の色のガンマテーブルを調整する必要がある。劣化が小さい色の発光素子の輝度レベルを抑制するので、ＲＧＢの各発光素子を合わせた輝度が大きく低下してしまう。
本発明は上記のような課題を解決するもので、カラーＥＬディスプレイのＲＧＢの各発光素子の輝度が経時的に低下するのに応じて、ＲＧＢの各発光素子の輝度レベルを適切に補正し、カラーＥＬディスプレイの色再現性の劣化及び輝度バランスの劣化を軽減する（表示品位の劣化を軽減する）ＥＬカラーディスプレイ補正装置を提供することを目的とする。
【０００６】
【課題を解決するための手段】
前記従来課題を解決するために、本発明は以下の構成をとる。請求項１に記載の発明は、Ｒ映像信号、Ｇ映像信号及びＢ映像信号を入力し、これらの映像信号に対して色補正パラメータに基づき色補正を行い、補正Ｒ映像信号、補正Ｇ映像信号及び補正Ｂ映像信号として出力する色補正手段と、夫々独立のガンマ処理パラメータに基づいて、前記色補正Ｒ映像信号を補正してガンマ補正Ｒ映像信号として出力し、色補正Ｇ映像信号を補正してガンマ補正Ｇ映像信号として出力し、色補正Ｂ映像信号を補正してガンマ補正Ｂ映像信号として出力するガンマ処理手段と、前記ガンマ補正Ｒ映像信号、ガンマ補正Ｇ映像信号及びガンマ補正Ｂ映像信号を入力し、ＲＧＢのサブピクセルを発光させてカラー表示を行うカラーＥＬパネルと、前記カラーＥＬパネルのＲＧＢのサブピクセルの夫々の点灯時間の累計を算出しＲ点灯時間累計時間、Ｇ点灯時間累計時間及びＢ点灯時間累計時間として出力する点灯時間累計手段と、点灯時間経過に対する前記カラーＥＬパネルの色度点の劣化特性を予め記憶し、前記Ｒ点灯時間累計時間、Ｇ点灯時間累計時間及びＢ点灯時間累計時間と色度点の劣化特性とから前記カラーＥＬパネルの赤、緑及び青の色度点の劣化の程度をそれぞれ示すＲ色度点劣化情報、Ｇ色度点劣化情報及びＢ色度点劣化情報を導出し、出力する色度点劣化情報生成手段と、点灯時間経過に対する前記カラーＥＬパネルのＲＧＢのサブピクセルの輝度の劣化特性を予め記憶し、前記Ｒ点灯時間累計時間、Ｇ点灯時間累計時間及びＢ点灯時間累計時間と輝度の劣化特性とから前記カラーＥＬパネルの赤、緑及び青の各輝度の劣化の程度を示すＲ輝度劣化情報、Ｇ輝度劣化情報及びＢ輝度劣化情報を導出し、出力する輝度劣化情報生成手段と、初期状態における前記カラーＥＬパネルのＲＧＢ各色の輝度情報を予め記憶し、前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し出力するガンマ処理パラメータ算出手段と、初期状態における前記カラーＥＬパネルのＲＧＢ各色の色再現領域を予め記憶し、前記色補正パラメータによる前記色補正手段における処理と前記ガンマ処理パラメータによる前記ガンマ処理手段における処理とにより変化した劣化した状態における前記カラーＥＬパネルの色再現領域が、初期状態における前記カラーＥＬパネルの色再現領域に近似するように、前記Ｒ色度点劣化情報、Ｇ色度点劣化情報及びＢ色度点劣化情報に基づいて、前記色補正パラメータを算出し出力するガンマ入力付き色補正パラメータ算出手段と、を有することを特徴とするＥＬカラーディスプレイ補正装置である。
【０００７】
従来例１の方式においては、ＲＧＢの各発光素子の輝度が低下することを補正したが、ＲＧＢ各色の発光素子の色度点の経年変化を考慮していなかった。
本発明の構成によって、色補正（典型的にはマトリックス演算による色補正）を用いた色再現性の補正とガンマ処理を用いたホワイトバランスの調整の両方を行うことにより、カラーＥＬパネルの経年変化に伴う色再現性の劣化を軽減させることができる。
「輝度バランス」とは、ホワイトバランスが取れた状態におけるＲＧＢサブピクセルの各輝度の相対値を意味する。ガンマ処理手段が各色の輝度を補正する方法は任意であり、線形補正でも良く、非線形補正でも良い。
【０００８】
請求項２に記載の発明は、前記ガンマ処理パラメータ算出手段に代えて重み付け機能付きガンマ処理パラメータ算出手段を有し、前記重み付け機能付きガンマ処理パラメータ算出手段は、初期状態における前記カラーＥＬパネルのＲＧＢ各色の輝度情報と、初期状態におけるガンマ処理パラメータと、を予め記憶し、前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し、初期状態におけるガンマ処理パラメータと劣化した状態における前記カラーＥＬパネルのＲＧＢ各色の輝度バランスを補正せしめるガンマ処理パラメータとを重み付け情報に基づき内挿補間した値を算出し、重み付けガンマ処理パラメータとして出力し、前記ガンマ処理手段及び前記色補正パラメータ算出手段は、前記ガンマ処理パラメータに代えて前記重み付けガンマ処理パラメータを入力することを特徴とする請求項１に記載のＥＬカラーディスプレイ補正装置である。
【０００９】
従来例１の方式においては、ＲＧＢ各色のうち最も劣化が大きい色を基準としてホワイトバランスが取れるように、他の色のガンマ値を調整していた。この方式においては、劣化が小さい色の発光素子の輝度レベルを抑制するので、ＲＧＢの各発光素子を合わせた輝度が大きく低下してしまう。ユーザは、ＥＬカラーディスプレイを使用するにつれてその輝度がどんどん低下していくことに不満を感じていた。
本発明のＥＬカラーディスプレイ補正装置は、色補正を用いた色再現性の補正と重み付け情報に基づいたガンマ処理によるホワイトバランスの調整との両方を行うことにより、カラーＥＬパネルの経年変化に伴う輝度の低下と色再現性の劣化とを軽減させることができる。重み付け情報に基づく内挿補間を行うことにより、ガンマ処理によるホワイトバランスの調整で、ＲＧＢ全体の輝度（ＲＧＢ全てのサブピクセルの輝度の総和）が最も劣化が大きい色の輝度と同じ割合で低下することを軽減できる。ガンマ処理を用いたホワイトバランスの調整量を定める重み付け情報を可変にしても良い。内挿補間の方法は任意である。「重み付け情報」は、内挿補間をするための任意のパラメータである。
【００１０】
請求項３に記載の発明は、前記重み付け機能付きガンマ処理パラメータ算出手段は、前記Ｒ輝度劣化情報、Ｇ輝度劣化情報及びＢ輝度劣化情報が示す劣化の程度が進んでＲＧＢ各色の輝度バランスが変化するにつれて、前記重み付けガンマ処理パラメータが、劣化した状態における前記カラーＥＬパネルのＲＧＢ各色の輝度バランスを補正せしめるガンマ処理パラメータに近づくように重み付け情報の値を変更して、前記重み付けガンマ処理パラメータを生成し出力することを特徴とする請求項２に記載のＥＬカラーディスプレイ補正装置である。
【００１１】
本発明のＥＬカラーディスプレイ補正装置は、色補正を用いた色再現性の補正と重み付け情報に基づいたガンマ処理によるホワイトバランスの調整との両方を行うことにより、カラーＥＬパネルの経年変化に伴う色再現性の劣化を軽減させることができる。重み付け情報に基づいて内挿補間を行い、且つＲＧＢの各輝度が劣化して輝度バランスが変化するに従って重み付け情報の値を変更する。ＲＧＢ各色の輝度バランスがほぼ取れている間は、輝度バランスよりも、ＲＧＢ全体の輝度の劣化を軽減することを重視した補正を行う。ＲＧＢ各色の輝度バランスがずれるに従って、ＲＧＢ全体の輝度の劣化の軽減よりも輝度バランスの調整にウエイトを移すように重み付け情報の値を変更して、補正を行う。本発明のＥＬカラーディスプレイ補正装置は、ＲＧＢ各輝度の劣化の状態に応じて補正のパラメータを変更し、視覚的違和感の少ない補正を実現できる。
【００１２】
請求項４に記載の発明は、ユーザが前記重み付け情報の値を変更可能であることを特徴とする請求項２に記載のＥＬカラーディスプレイ補正装置である。
本発明によれば、ユーザの好みに応じて、ガンマ処理を用いたホワイトバランスの調整量を変更できる。ユーザが経時的な輝度の低下を防止することを重視する場合は、ユーザが入力した指令（例えば実施の形態におけるユーザ輝度情報）に応じて、標準よりもＲＧＢ全体の輝度の劣化を軽減することを重視した補正を行う。この場合、ＲＧＢの輝度バランスの調整量が標準よりも少なくなる。ユーザが経時的なＲＧＢの輝度バランスを重視する場合は、ユーザが入力した指令に応じて、標準よりもＲＧＢの輝度バランスを重視した補正を行う。この場合、ＲＧＢ全体の輝度の劣化を軽減する割合が標準よりも少なくなる。本発明のＥＬカラーディスプレイ補正装置は、個々のユーザにとって最も視覚的違和感の少ない補正を実現できる。
【００１３】
請求項５に記載の発明は、前記ガンマ処理パラメータ算出手段に代えてリミッタ付きガンマ処理パラメータ算出手段を有し、前記リミッタ付きガンマ処理パラメータ算出手段は、初期状態における前記カラーＥＬパネルのＲＧＢ各色の輝度情報を予め記憶し、前記ガンマ処理手段において、劣化した状態における前記カラーＥＬパネルのＲＧＢ各色の輝度バランスを初期状態における前記カラーＥＬパネルのＲＧＢ各色の輝度バランスと等価にするように補正せしめる前記ガンマ処理パラメータを、前記Ｒ輝度劣化情報、Ｇ輝度劣化情報及びＢ輝度劣化情報に基づいて算出し、前記ガンマ処理パラメータに基づいた前記ガンマ処理手段でのＲＧＢ各色の輝度の減衰率を算出し、前記減衰率が所定の閾値以下であれば、算出した前記ガンマ処理パラメータをリミッタ付きガンマ処理パラメータとして出力し、前記減衰率が前記閾値より大きければ、前記閾値と同一の値の前記減衰率を生じる前記ガンマ処理パラメータをリミッタ付きガンマ処理パラメータとして出力し、前記ガンマ処理手段及び前記色補正パラメータ算出手段は、前記ガンマ処理パラメータに代えて前記リミッタ付きガンマ処理パラメータを入力することを特徴とする請求項１に記載のＥＬカラーディスプレイ補正装置である。
【００１４】
本発明のＥＬカラーディスプレイ補正装置は、色補正を用いた色再現性の補正と重み付け情報に基づいたガンマ処理によるホワイトバランスの調整との両方を行うことにより、カラーＥＬパネルの経年変化に伴う輝度の低下と色再現性の劣化とを軽減させることができる。
ＲＧＢ全体の輝度（ＲＧＢ全てのサブピクセルの輝度の総和）が最も劣化が大きい色の輝度と同じ割合で低下して一定の値以下になると、ユーザは、ＥＬカラーディスプレイの画面が暗くなったことに大きな不満を感じる。
本発明においては、ガンマ処理を用いたホワイトバランスの調整量にリミッタを設け、ガンマ処理手段において一定以上の輝度の低下が生じないようにする。
これにより、ユーザにとって視覚的違和感の少ない補正を実現できる。
【００１５】
請求項６に記載の発明は、ユーザが前記閾値を変更可能であることを特徴とする請求項５に記載のＥＬカラーディスプレイ補正装置ある。
本発明によれば、ユーザの好みに応じて、ガンマ処理手段においてそれ以上輝度の低下が生じないようにする閾値を設定できる。ユーザが、ホワイトバランスの崩れ及びＥＬカラーディスプレイの画面が暗くなったことをそれぞれどの程度まで許容できるかは、ユーザ毎に異なる。本発明のＥＬカラーディスプレイ補正装置は、個々のユーザにとって最も視覚的違和感の少ない補正を実現できる。
【００１６】
【発明の実施の形態】
本発明の各実施の形態におけるＥＬカラーディスプレイ補正装置について、図面を参照しながら説明する。
【００１７】
《実施の形態１》
図１、５、６及び７を用いて本発明の実施の形態１のＥＬカラーディスプレイ補正装置を説明する。図１は本発明の実施の形態１の有機ＥＬカラーディスプレイの構成を示すブロック図である。実施の形態１のＥＬカラーディスプレイ補正装置は、有機ＥＬカラーディスプレイに組み込まれている。図１において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０３はガンマ処理パラメータ算出手段、２０４はガンマ入力付き色補正パラメータ算出手段である。カラーＥＬパネル１０１は、有機ＥＬ素子を用いたカラーディスプレイ用のパネルである。図１において、カラーＥＬパネル１０１を除く全てのブロックが、ＥＬカラーディスプレイ補正装置を構成する。
【００１８】
以上のように構成された有機ＥＬカラーディスプレイ（ＥＬカラーディスプレイ補正装置を含む。）の動作を以下に説明する。
本実施の形態の有機ＥＬカラーディスプレイは、赤の映像信号入力であるＲ映像信号、緑の映像信号入力であるＧ映像信号、青の映像信号入力であるＢ映像信号（全てデジタル信号とする。）を入力する。色補正手段１０２は、Ｒ映像信号、Ｇ映像信号、Ｂ映像信号に対して、３×３の正方行列の各成分で表される色補正パラメータに基づいた線形色補正を行い、色補正Ｒ映像信号、色補正Ｇ映像信号、色補正Ｂ映像信号を出力する。
色補正手段１０２は、カラーＥＬパネル１０１の色再現性を向上するために色補正を行う。色補正手段１０２は、入力されたＲ映像信号、Ｇ映像信号、Ｂ映像信号の色再現領域とカラーＥＬパネル１０１の色再現領域（ディスプレイデバイスに依存した色再現領域）との違いを補正し、ＲＧＢ各色の発光材料の経年劣化に起因して低下した色再現性を補正する。この色補正によって、ＲＧＢ各色の発光材料の経年劣化に起因する色再現性の低下が抑制される。
【００１９】
モニター等の色再現領域を表現する方法として、ＣＩＥｘｙ色度図（図５）がよく用いられる。人間が知覚できる全ての色は、このＣＩＥｘｙ色度図上の馬蹄形の内側の領域で示される。この馬蹄形の中心部は無彩色である。
図６にＥＬカラーディスプレイの初期状態での色再現領域の例を示す。ＣＩＥｘｙ色度図上の三角形の内側が、このＥＬカラーディスプレイの色再現領域である。図７にＥＬカラーディスプレイの一定期間使用した後の色再現領域の例を示す。この例では、他の発光素子の劣化と比べ赤色の発光素子の劣化が著しく、色再現領域が狭くなると同時にその形も歪んでしまう。
【００２０】
色補正手段１０２は、３×３の行列Ｃｆを用いて演算を行い色補正を行う。色補正パラメータは行列Ｃｆの９個の行列係数である。Ｒ映像信号の値をＲｉ、Ｇ映像信号の値をＧｉ、Ｂ映像信号の値をＢｉとし、色補正Ｒ映像信号の値をＲｏ、色補正Ｇ映像信号の値をＧｏ、色補正Ｂ映像信号の値をＢｏとすると下記の関係式がなりたつ。
【００２１】
【数１】
2004325565.tif 000003
【００２２】
上記の行列の行列係数ａ１１〜ａ３３が色補正パラメータに相当する。
ガンマ入力付き色補正パラメータ算出手段２０４は、カラーＥＬパネル１０１の初期状態でのＲＧＢ各色の色度点情報を予め記憶している。ガンマ入力付き色補正パラメータ算出手段２０４は、カラーＥＬパネル１０１の初期状態でのＲＧＢ各色の色度点情報Ｒ色度点劣化情報と、Ｇ色度点劣化情報及びＢ色度点劣化情報（ＲＧＢの各色度点が経時的に劣化した程度を示す情報である。）と、ガンマ処理パラメータ（ガンマ処理手段２０１が補正に使用するパラメータ）とから、色補正手段１０２で使用する色補正パラメータａ１１〜ａ３３を算出する。
【００２３】
具体的にはガンマ入力付き色補正パラメータ算出手段２０４は、最初に、Ｒ色度点劣化情報、Ｇ色度点劣化情報及びＢ色度点劣化情報から（カラーＥＬパネル１０１の初期状態でのＲＧＢ各色の色度点情報Ｒ色度点劣化情報を更に使用しても良い。）、劣化した状態におけるカラーＥＬパネル１０１の色再現領域を算出する。劣化した状態におけるカラーＥＬパネル１０１の色再現領域と初期状態におけるカラーＥＬパネル１０１の色再現領域とを比較し、劣化した状態におけるカラーＥＬパネル１０１での色再現性を初期状態に近似させるように色補正を行うパラメータを決定する。
【００２４】
ガンマ入力付き色補正パラメータ算出手段２０４がパラメータを算出する演算式を説明する。
ガンマ処理手段２０１による信号処理の関数をＧｆとする（Ｇｆは対角成分以外の全ての行列係数が０である３×３の正方行列である。）。関数Ｇｆの３つの対角成分は、夫々色補正Ｒ映像信号、色補正Ｇ映像信号及び色補正Ｂ映像信号を補正するガンマ処理パラメータである（ガンマ処理パラメータ算出手段２０３が出力する。）。
色補正手段１０２における信号処理の関数をＣｆとする（Ｃｆは３×３の正方行列である。）。このとき関数Ｃｆ及び関数Ｇｆは、次式のようになる。
【００２５】
【数２】
2004325565.tif 000004
【００２６】
関数Ｃｆ及び関数Ｇｆを用いると、ガンマ処理手段２０１の出力信号であるガンマ補正Ｒ映像信号Ｒｇｏ、ガンマ補正Ｇ映像信号Ｇｇｏ、ガンマ補正Ｂ映像信号ＢｇｏとＲ映像信号Ｒｉ、Ｇ映像信号Ｇｉ、Ｂ映像信号Ｂｉとの関係は次式のようになる。
【００２７】
【数３】
2004325565.tif 000005
【００２８】
経年変化により劣化した状態におけるＥＬカラーディスプレイ１０１の色再現領域は、初期状態と比較して狭く、初期状態で表現できた色を全て表現することはできない。初期状態での色度点では表現できない色も、劣化した状態におけるＥＬカラーディスプレイの色再現領域の中にマッピングし表現する必要がある。
経年変化により劣化した状態におけるＥＬカラーディスプレイ１０１の色再現性を初期状態におけるカラーＥＬパネル１０１の色再現性に近似させ、且つ経年変化により劣化した輝度バランスを初期状態での輝度バランスと等価にするように補正する関数をＴｆとする（Ｔｆは３×３の正方行列である。）。このときＴｆ、Ｃｆ、Ｇｆには以下の関係が成り立つ。
【００２９】
【数４】
2004325565.tif 000006
【００３０】
この式を変形し関数Ｃｆを求めると次式のようになる。
【００３１】
【数５】
2004325565.tif 000007
【００３２】
ガンマ入力付き色補正パラメータ算出手段２０４は、ガンマ処理手段２０１の関数Ｇｆと共に実行することにより関数Ｔｆを実現する色補正パラメータ（関数Ｃｆ）を算出する。
本発明の適用において、色補正の方法は実施の形態１の方法に限定されず、ＲＧＢの各映像信号を、ＲＧＢ全ての映像信号に基づいて補正する任意の方法であって良い。色補正パラメータは、色補正手段１０２が実行する色補正の方法に応じて様々な形態となりうる。
【００３３】
点灯時間累計手段１０３は、色補正Ｒ映像信号の点灯時間の累計をＲ点灯累計時間として出力し、色補正Ｇ映像信号の点灯時間の累計をＧ点灯累計時間として出力し、色補正Ｂ映像信号の点灯時間の累計をＢ点灯累計時間として出力する。
点灯時間の累計方法は任意である。例えば映像信号レベルの閾値（ＲＧＢの各映像信号について同一の閾値でも良く、各映像信号毎に異なる閾値であっても良い。）を設け、各映像信号レベルが閾値を超えた時間を点灯時間として算出しても良い。
映像信号レベルの高低に応じて重み付けを行って点灯時間を算出しても良い。
例えば以下の方法による。点灯中のＲＧＢの各映像信号の１時間ごとの平均映像レベルを算出する。平均映像レベルを４段階にクラス分けし、各クラス毎に異なる係数を割り当てる（平均映像レベルが高い程係数の値は大きい。例えば係数は０〜３である。）。実際の点灯時間に、各色の映像信号の平均映像レベルに応じた係数を掛け、Ｒ、Ｇ及びＢ点灯累計時間を算出する。
【００３４】
色度点劣化情報生成手段１０４は、カラーＥＬパネル１０１のＲＧＢ各色の色度点の経年劣化のデータテーブル（Ｒ、Ｇ及びＢ点灯累計時間をパラメータとする。）を予め記憶している。色度点劣化情報生成手段１０４は、赤色の色度点の経年劣化のデータテーブルとＲ点灯累計時間から予測される赤の色度点を検索し、Ｒ色度点劣化情報として出力し、緑色の色度点の経年劣化のデータテーブルとＧ点灯累計時間から予測される緑の色度点を検索し、Ｇ色度点劣化情報として出力し、青色の色度点の経年劣化のデータテーブルとＢ点灯累計時間から予測される青の色度点を検索し、Ｂ色度点劣化情報として出力する。データテーブルにその点灯累計時間に対応する色度点の値がなければ、その点灯累計時間の前後の点灯累計時間に対応する色度点の値を補間して、その点灯累計時間の色度点の値を算出する。色度点劣化情報生成手段１０４は、ＲＧＢ各色の色度点の経年劣化のデータテーブルに代えて、関数を記憶していても良い。
【００３５】
ガンマ処理手段２０１は、色補正Ｒ映像信号をガンマ処理パラメータに応じて変換してガンマ補正Ｒ映像信号として出力し、色補正Ｇ映像信号をガンマ処理パラメータに応じて変換してガンマ補正Ｇ映像信号として出力し、色補正Ｂ映像信号をガンマ処理パラメータに応じて変換してガンマ補正Ｂ映像信号として出力する。これら３つの入出力特性（ガンマ処理パラメータ）は、独立して設定できる。
ガンマ処理手段２０１が色補正Ｒ映像信号を変換する方法は、その色補正Ｒ映像信号のみから変換する（色補正Ｇ映像信号及び色補正Ｂ映像信号の影響を受けない）任意の方法であって良い（色補正Ｇ映像信号及び色補正Ｂ映像信号も同様である。）。実施の形態１のガンマ処理手段２０１は、色補正Ｒ映像信号等を線形１次変換する。これに代えてガンマ処理手段２０１は、所定の折れ点で繋がる２本の直線（線形１次変換）で近似した変換を実行しても良い。ガンマ処理手段２０１は、関数に代えて、変換用ルックアップテーブルを有していても良い。
【００３６】
輝度劣化情報生成手段２０２は、カラーＥＬパネル１０１のＲＧＢ各色の輝度レベルの経年劣化のデータテーブル（Ｒ、Ｇ及びＢ点灯累計時間をパラメータとする。）を予め記憶している。輝度劣化情報生成手段２０２は、赤色の輝度レベルの経年劣化のデータテーブルとＲ点灯累計時間から予測される赤の輝度レベルを検索し、Ｒ輝度劣化情報として出力し、緑色の輝度レベルの経年劣化のデータテーブルとＧ点灯累計時間から予測される緑の輝度を検索し、Ｇ輝度劣化情報として出力し、青色の輝度レベルの経年劣化のデータテーブルとＢ点灯累計時間から予測される青の輝度を検索し、Ｂ輝度劣化情報として出力する。データテーブルにその点灯累計時間に対応する輝度の値がなければ、その点灯累計時間の前後の点灯累計時間に対応する輝度の値を補間して、その点灯累計時間の輝度の値を算出する。輝度劣化情報生成手段１０４は、ＲＧＢ各色の輝度の経年劣化のデータテーブルに代えて、関数を記憶していても良い。
【００３７】
ガンマ処理パラメータ算出手段２０３は、ガンマ処理手段２０１で使用するガンマ処理パラメータを算出する。ガンマ処理パラメータ算出手段２０３は、カラーＥＬパネル１０１の初期状態でのＲＧＢ各色の輝度レベル情報を予め記憶している。ガンマ処理パラメータ算出手段２０３は、Ｒ輝度劣化情報、Ｇ輝度劣化情報、Ｂ輝度劣化情報を入力し、ガンマ処理手段２０１が、ＲＧＢ３色の中で最も劣化の大きい色の輝度レベルを基準として、他の色の色補正映像信号のレベルをガンマ処理パラメータにより小さくし、劣化した状態において初期状態でのホワイトバランスと等価なホワイトバランスを実現するように、調整係数（ガンマ処理パラメータ）を決定する。実施の形態１において、ホワイトバランスの調整係数（ガンマ処理パラメータ）は、初期状態の値を１．０とするゲインである（上述のように、実施の形態１のガンマ処理手段２０１は、色補正Ｒ映像信号等を線形１次変換する。）。
【００３８】
ＲＧＢ各色の調整係数（ガンマ処理パラメータ）を夫々Ｒｇａｄｊ、Ｇｇａｄｊ、Ｂｇａｄｊとし、ＲＧＢのうち最も劣化が大きい色がＢであり、最も劣化が小さい色をＲとすると、下記の関係がなりたつ。
１  ＝  Ｂｇａｄｊ  ＞  Ｇｇａｄｊ  ＞  Ｒｇａｄｊ  ＞  ０
ガンマ処理手段２０１が入力する色補正Ｒ映像信号をＲｏ、色補正Ｇ映像信号をＧｏ、色補正Ｂ映像信号をＢｏとし、ガンマ処理手段２０１が出力するガンマ補正Ｒ映像信号をＲｇｏ、ガンマ補正Ｇ映像信号をＧｇｏ、ガンマ補正Ｂ映像信号をＢｇｏとすると、
Ｒｇｏ  ＝  Ｒｇａｄｊ  ×  Ｒｏ
Ｇｇｏ  ＝  Ｇｇａｄｊ  ×  Ｇｏ
Ｂｇｏ  ＝  Ｂｇａｄｊ  ×  Ｂｏ
の関係が成立する。Ｒｇａｄｊ、Ｇｇａｄｊ、Ｂｇａｄｊは、それぞれ行列式Ｇｆの対角成分である。
【００３９】
ガンマ処理パラメータ算出手段２０３は、ガンマ処理手段２０１において、カラーＥＬパネル１０１の非線形性を補正する機能を同時に実現するガンマ処理パラメータを算出しても良い。
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
色再現性を補正する際、色の補正を目的とした色補正手段とホワイトバランスの調整を目的としたガンマ補正手段の両方を備えているため、経年劣化に対する補正の自由度が増える。
【００４０】
実施の形態１においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００４１】
《実施の形態２》
図８及び９を用いて本発明の実施の形態２のＥＬカラーディスプレイ補正装置を説明する。図８は本発明の実施の形態２の有機ＥＬカラーディスプレイの構成を示すブロック図である。実施の形態２のＥＬカラーディスプレイ補正装置は、有機ＥＬカラーディスプレイに組み込まれている。図８において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０４はガンマ入力付き色補正パラメータ算出手段、３０１は重み付け機能付きガンマ処理パラメータ算出手段である。カラーＥＬパネル１０１は、有機ＥＬ素子を用いたカラーディスプレイ用のパネルである。図８において、カラーＥＬパネル１０１を除く全てのブロックが、ＥＬカラーディスプレイ補正装置を構成する。
実施の形態２のＥＬカラーディスプレイ補正装置は、本発明の実施の形態１のＥＬカラーディスプレイ補正装置のガンマ処理パラメータ算出手段２０３を重み付け機能付きガンマ処理パラメータ算出手段３０１に置き換えたものである。
【００４２】
以上のように構成されたＥＬカラーディスプレイ補正装置の動作を以下に説明する。
カラーＥＬパネル１０１、色補正手段１０２、点灯時間累計手段１０３、色度点劣化情報生成手段１０４、ガンマ処理手段２０１、輝度劣化情報生成手段２０２、ガンマ入力付き色補正パラメータ算出手段２０４の構成及び動作は、本発明の実施の形態１と同じなので説明を省略する。
【００４３】
重み付け機能付きガンマ処理パラメータ算出手段３０１は、Ｒ輝度劣化情報、Ｇ輝度劣化情報、Ｂ輝度劣化情報及び重み付け情報に基づき、ガンマ処理手段２０１で使用する重み付けガンマ処理パラメータを算出する。重み付け機能付きガンマ処理パラメータ算出手段３０１は、カラーＥＬパネル１０１の初期状態でのＲＧＢ各色の輝度レベル情報を予め記憶している。
重み付け機能付きガンマ処理パラメータ算出手段３０１は、最初に、Ｒ輝度劣化情報、Ｇ輝度劣化情報、Ｂ輝度劣化情報を入力し、ガンマ処理手段２０１が、ＲＧＢ３色の中で最も劣化の大きい色の輝度レベルを基準として、他の色の色補正映像信号のレベルをガンマ処理パラメータにより小さくし、劣化した状態において初期状態でのホワイトバランスと等価なホワイトバランスを実現するように、調整係数（ガンマ処理パラメータ）を決定する（実施の形態１のガンマ処理パラメータ算出手段２０３と同一の処理）。ホワイトバランスの調整係数（ガンマ処理パラメータ）は、初期状態の値を１．０とするゲインである。
ＲＧＢ各色の調整係数（ガンマ処理パラメータ）を夫々Ｒｇａｄｊ、Ｇｇａｄｊ、Ｂｇａｄｊとし、ＲＧＢのうち最も劣化が大きい色がＢであり、最も劣化が小さい色をＲとすると、下記の関係がなりたつ。
１  ＝  Ｂｇａｄｊ  ＞  Ｇｇａｄｊ  ＞  Ｒｇａｄｊ  ＞  ０
【００４４】
重み付け情報は、ガンマ処理手段２０１においてホワイトバランスを調整する機能の重み付けを行う。この重み付け情報αを
０≦α≦１
を満たす一定値とする。重み付け機能付きガンマ処理パラメータ算出手段３０１は、重み付け情報αに基づいて、ＲＧＢ各色の調整係数（重み付けガンマ処理パラメータ）を算出する。この重み付け情報を考慮したＲＧＢ各色の調整係数（重み付けガンマ処理パラメータ）を夫々Ｒｇｄ、Ｇｇｄ、Ｂｇｄとし、これらＲｇｄ、Ｇｇｄ、Ｂｇｄとαとの関係を
Ｒｇｄ  ＝  １．０  ×  （１−α）  ＋  Ｒｇａｄｊ  ×  α
Ｇｇｄ  ＝  １．０  ×  （１−α）  ＋  Ｇｇａｄｊ  ×  α
Ｂｇｄ  ＝  １．０  ×  （１−α）  ＋  Ｂｇａｄｊ  ×  α
とする。Ｒｇｄ、Ｇｇｄ、Ｂｇｄは、初期状態におけるガンマ処理パラメータと（右辺の第１項）、劣化した状態におけるカラーＥＬパネル１０１のＲＧＢ各色の輝度バランスを補正せしめるガンマ処理パラメータと（右辺の第２項）を重み付け情報αに基づき内挿補間した値である。重み付け情報αが大きいほどガンマ処理手段２０１におけるホワイトバランス調整機能が有効に機能する。即ちαが大きいほど、重み付けガンマ処理パラメータが、劣化した状態における前記カラーＥＬパネルのＲＧＢ各色の輝度バランスを初期の輝度バランスに補正せしめるガンマ処理パラメータ（右辺の第２項）に近似する。
【００４５】
ガンマ処理手段２０１が入力する色補正Ｒ映像信号をＲｏ、色補正Ｇ映像信号をＧｏ、色補正Ｂ映像信号をＢｏとし、ガンマ処理手段２０１が出力するガンマ補正Ｒ映像信号をＲｇ、ガンマ補正Ｇ映像信号をＧｇ、ガンマ補正Ｂ映像信号をＢｇとすると、
Ｒｇ  ＝  Ｒｇｄ  ×  Ｒｏ
Ｇｇ  ＝  Ｇｇｄ  ×  Ｇｏ
Ｂｇ  ＝  Ｂｇｄ  ×  Ｂｏ
の関係が成立する。Ｒｇｄ、Ｇｇｄ、Ｂｇｄは、それぞれ行列式Ｇｆの対角成分である。
【００４６】
色補正手段１０２は、ガンマ処理手段２０１の処理（関数Ｇｆ）と共に実行することにより、関数Ｔｆ（経年変化により劣化した状態におけるＥＬカラーディスプレイ１０１の色再現性を初期状態におけるカラーＥＬパネル１０１の色再現性に近似させ、且つ経年変化により劣化した輝度バランスを初期状態での輝度バランスと近似させるように補正する関数）を実現する色補正を実行する。色補正手段１０２は、ガンマ処理手段２０１で完全に補正しきれなくなったホワイトバランスを色再現性の補正により行う。それと同時に色補正手段１０２では、表示デバイスの色再現性の改善処理を行うこともできる。
【００４７】
図９（Ａ）及び（Ｂ）は、それぞれ経時変化によるホワイトバランスのずれを補正する従来例１の方式の特性と（図９（Ａ））実施の形態２による補正の特性と（図９（Ｂ））を模式的に示す。
従来例１では、経年変化に応じた輝度の低下をＲＧＢ各色に独立にゲイン補正を行い補正する。この結果、ホワイトバランスを保持できるが、ＲとＧの輝度が低下してしまう。
一方、実施の形態２では、ガンマ処理手段２０１におけるホワイトバランスの調整が完全には行われないが、その分ＲとＧの輝度の低下は小さい。色補正手段１０２は、ガンマ処理手段２０１での処理では十分に対応できなかったホワイトバランスの調整を行い、かつ表示デバイスの色再現性の補正を行う。
【００４８】
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
【００４９】
色再現性を補正する際、色の補正を目的とした色補正手段とホワイトバランスの調整を目的としたガンマ補正手段の両方を備えているため、経年劣化に対する補正の自由度が増える。
さらに重み付け情報を変更することにより、ガンマ処理手段２０１におけるホワイトバランス調整機能の重み付けを変更でき、例えば重み付け情報をユーザの好みで調整し輝度の著しい低下を避けつつ、視覚的違和感の少ない補正を実現できる。例えば、重み付け係数αを小さくすることで、ガンマ処理手段２０１におけるホワイトバランスの調整の弊害であるＲＧＢ全体の輝度の低下を軽減することができる。
一方、重み付け係数αを小さくすると、ガンマ処理手段２０１によるホワイトバランスの調整は完全ではなくなる。
【００５０】
実施の形態２においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００５１】
《実施の形態３》
図１０及び１１を用いて本発明の実施の形態３のＥＬカラーディスプレイ補正装置を説明する。図１０は本発明の実施の形態３の有機ＥＬカラーディスプレイの構成を示すブロック図である。実施の形態３のＥＬカラーディスプレイ補正装置は、有機ＥＬカラーディスプレイに組み込まれている。図１０において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０４はガンマ入力付き色補正パラメータ算出手段、３０１は重み付け機能付きガンマ処理パラメータ算出手段、４０１は輝度劣化情報対応重み付け情報生成手段である。カラーＥＬパネル１０１は、有機ＥＬ素子を用いたカラーディスプレイ用のパネルである。図１０において、カラーＥＬパネル１０１を除く全てのブロックが、ＥＬカラーディスプレイ補正装置を構成する。
実施の形態３のＥＬカラーディスプレイ補正装置は、実施の形態２のＥＬカラーディスプレイ補正装置に輝度劣化情報対応重み付け情報生成手段４０１を付加したものである。
【００５２】
以上のように構成されたＥＬカラーディスプレイ補正装置の動作を以下に説明する。
カラーＥＬパネル１０１、色補正手段１０２、点灯時間累計手段１０３、色度点劣化情報生成手段１０４、ガンマ処理手段２０１、輝度劣化情報生成手段２０２、ガンマ入力付き色補正パラメータ算出手段２０４、重み付け機能付きガンマ処理パラメータ算出手段３０１の構成及び動作は、本発明の実施の形態２と同じなので説明を省略する。
【００５３】
輝度劣化情報対応重み付け情報生成手段４０１は、Ｒ輝度劣化情報、Ｇ輝度劣化情報、Ｂ輝度劣化情報に基づき、重み付け情報を算出する。輝度劣化情報対応重み付け情報生成手段４０１は、カラーＥＬパネル１０１の初期状態でのＲＧＢ各色の輝度レベル情報を予め記憶している。輝度劣化情報対応重み付け情報生成手段４０１は、Ｒ輝度劣化情報、Ｇ輝度劣化情報及びＢ輝度劣化情報が示す劣化の程度が進んでＲＧＢ各色の輝度バランスが変化するにつれて、重み付けガンマ処理パラメータが、劣化した状態におけるカラーＥＬパネル１０１のＲＧＢ各色の輝度バランスを補正せしめるガンマ処理パラメータに近づくように重み付け情報αの値を大きくして、重み付けガンマ処理パラメータＲｇｄ、Ｇｇｄ、Ｂｇｄを生成し出力する（実施の形態２と同一の式による。）。
【００５４】
具体的には、以下の方法による。輝度劣化情報対応重み付け情報生成手段４０１は、Ｒ輝度劣化情報、Ｇ輝度劣化情報、Ｂ輝度劣化情報を比較し、最も輝度劣化が大きい色の劣化率（例えば輝度が初期値の７０％になれば、劣化率は３０％）と最も輝度劣化が小さい色の劣化率との差を求める。
この劣化率差が大きくなるに従い、輝度劣化情報対応重み付け情報生成手段４０１は重み付け情報αの値を大きくする。実施の形態２と同様に重み付け情報αは、次式の関係を満たすように選定する。
０≦α≦１
【００５５】
劣化率差Ｋｒと重み付け情報αの関係を図１１に例として示す。
ＴＨは予め決定する数値であり、ガンマ処理手段２０１による輝度の制限量を少なくしつつ、色再現性の補正が十分なされる数値を選定する。例えば、最も劣化が大きい発光素子の最高輝度が特定の輝度レベルを下回る時点（例えば初期状態と比較した輝度が５０％になる点）での劣化率差Ｋｒの値をこのＴＨとしても良い。
実施の形態３において、劣化率差Ｋｒと重み付け情報αの関係は、劣化率差Ｋｒが大きくなるに従い重み付け情報αも大きくなるものであればよく、それ以外は特に限定しない。
【００５６】
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
【００５７】
色再現性を補正する際、色の補正を目的とした色補正手段とホワイトバランスの調整を目的としたガンマ補正手段の両方を備えているため、経年劣化に対する補正の自由度が増える。
さらにガンマ処理手段２０１におけるホワイトバランス調整機能の重み付けを自動的に変更でき、輝度の著しい低下を避けつつ、視覚的違和感の少ない補正を実現できる。
【００５８】
実施の形態３においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００５９】
《実施の形態４》
図１２を用いて本発明の実施の形態４のＥＬカラーディスプレイ補正装置を説明する。図１２は本発明の実施の形態４の有機ＥＬカラーディスプレイの構成を示すブロック図である。実施の形態４のＥＬカラーディスプレイ補正装置は、有機ＥＬカラーディスプレイに組み込まれている。図１２において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０４はガンマ入力付き色補正パラメータ算出手段、３０１は重み付け機能付きガンマ処理パラメータ算出手段、５０１はユーザ輝度対応重み付け情報生成手段である。カラーＥＬパネル１０１は、有機ＥＬ素子を用いたカラーディスプレイ用のパネルである。図１２において、カラーＥＬパネル１０１を除く全てのブロックが、ＥＬカラーディスプレイ補正装置を構成する。
実施の形態４のＥＬカラーディスプレイ補正装置は、実施の形態２のＥＬカラーディスプレイ補正装置にユーザ輝度対応重み付け情報生成手段５０１を付加したものである。
【００６０】
以上のように構成されたＥＬカラーディスプレイ補正装置の動作を以下に説明する。
カラーＥＬパネル１０１、色補正手段１０２、点灯時間累計手段１０３、色度点劣化情報生成手段１０４、ガンマ処理手段２０１、輝度劣化情報生成手段２０２、ガンマ入力付き色補正パラメータ算出手段２０４、重み付け機能付きガンマ処理パラメータ算出手段３０１の構成及び動作は、本発明の実施の形態２と同じなので説明を省略する。
【００６１】
ユーザ輝度対応重み付け情報生成手段５０１は、ユーザが入力した指令（ユーザ輝度情報）に基づき重み付け情報の値αを決定する。ユーザ輝度情報は、カラーＥＬパネル１０１の輝度を調整するためのものである。ユーザは、カラーＥＬパネルに対話形式で表示される設定メニューを変更することにより、ユーザ輝度情報を変更する。実施の形態４のユーザ輝度対応重み付け情報生成手段５０１は、ユーザ輝度情報のみに基づいて重み付け情報の値αを決定する。しかしこれに限られるものではなく、本発明において、ユーザ輝度情報の入力方法、及びユーザ輝度対応重み付け情報生成手段５０１が重み付け情報の値αを決定する方法は任意である。
【００６２】
ユーザ輝度対応重み付け情報生成手段５０１が出力した重み付け情報αは、重み付け機能付きガンマ処理パラメータ算出手段３０１に入力される。重み付け情報αは、実施の形態２と同様に、ガンマ処理手段２０１においてホワイトバランスを調整する機能の重み付けを行う。この重み付け情報をαとすると
０≦α≦１
である。重み付け情報αが大きいほどガンマ処理手段２０１におけるホワイトバランス調整機能が有効に機能する。即ち重み付け情報αが大きいほど、重み付けガンマ処理パラメータが、劣化した状態におけるカラーＥＬパネル１０１のＲＧＢ各色の輝度バランスを初期の輝度バランスに補正せしめるガンマ処理パラメータ（実施の形態２の数式の右辺の第２項）に近似する。
【００６３】
ユーザ輝度対応重み付け情報生成手段５０１は、ユーザ輝度情報の値が大きい程（ユーザが指定するカラーＥＬパネル１０１の輝度が高い程）、重み付け情報αを小さくし、ユーザ輝度情報の値が小さい程（ユーザが指定するカラーＥＬパネル１０１の輝度が低い程）、重み付け情報αを大きくする。このような処理を行うことでユーザ輝度情報で設定するカラーＥＬパネル１０１の輝度が高い程、重み付け情報の値が小さくなり、ガンマ処理手段２０１においてホワイトバランスを調整する機能の重み付けが小さくなる。経時的変化によりカラーＥＬパネル１０１のＲＧＢの各サブピクセルの輝度が低下した場合、ユーザ輝度情報の値が大きい程、カラーＥＬパネル１０１が表示する輝度が高くなる。ユーザ輝度情報と重み付け情報との関係式は任意である。
【００６４】
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
【００６５】
色再現性を補正する際、色の補正を目的とした色補正手段とホワイトバランスの調整を目的としたガンマ補正手段の両方を備えているため、経年劣化に対する補正の自由度が増える。
さらにユーザ輝度情報に応じて、ガンマ処理手段２０１におけるホワイトバランス調整機能に重み付けを自動的に変更できるため、ホワイトバランスの調整に起因する輝度の著しい低下を避けつつ、視覚的違和感の少ない補正を実現できる。
【００６６】
実施の形態４においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００６７】
《実施の形態５》
図１３を用いて本発明の実施の形態５のＥＬカラーディスプレイ補正装置を説明する。図１３は本発明の実施の形態５の有機ＥＬカラーディスプレイの構成を示すブロック図である。実施の形態５のＥＬカラーディスプレイ補正装置は、有機ＥＬカラーディスプレイに組み込まれている。図１３において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０４はガンマ入力付き色補正パラメータ算出手段、６０１はリミッタ付きガンマ処理パラメータ算出手段である。カラーＥＬパネル１０１は、有機ＥＬ素子を用いたカラーディスプレイ用のパネルである。図１３において、カラーＥＬパネル１０１を除く全てのブロックが、ＥＬカラーディスプレイ補正装置を構成する。
実施の形態５のＥＬカラーディスプレイ補正装置は、実施の形態２のＥＬカラーディスプレイ補正装置の重み付け機能付きガンマ処理パラメータ算出手段３０１（図８）をリミッタ付きガンマ処理パラメータ算出手段６０１に置き換えたものである。
【００６８】
以上のように構成されたＥＬカラーディスプレイ補正装置の動作を以下に説明する。
カラーＥＬパネル１０１、色補正手段１０２、点灯時間累計手段１０３、色度点劣化情報生成手段１０４、ガンマ処理手段２０１、輝度劣化情報生成手段２０２、ガンマ入力付き色補正パラメータ算出手段２０４の構成及び動作は、本発明の実施の形態２と同じなので説明を省略する。
【００６９】
リミッタ付きガンマ処理パラメータ算出手段６０１は、Ｒ輝度劣化情報、Ｇ輝度劣化情報、Ｂ輝度劣化情報とリミッタ情報に基づき、ガンマ処理手段２０１で使用するリミッタ付きガンマ処理パラメータを算出する。リミッタ付きガンマ処理パラメータ算出手段６０１は、カラーＥＬパネル１０１の初期状態でのＲＧＢ各色の輝度レベル情報を予め記憶している。
リミッタ付きガンマ処理パラメータ算出手段６０１は、最初に、Ｒ輝度劣化情報、Ｇ輝度劣化情報、Ｂ輝度劣化情報を入力し、ガンマ処理手段２０１が、ＲＧＢ３色の中で最も劣化が大きい色の輝度レベルを基準として、他の色の色補正映像信号のレベルをガンマ処理パラメータにより小さくし、劣化した状態において初期状態でのホワイトバランスと等価なホワイトバランスを実現するように、調整係数を決定する（実施の形態１のガンマ処理パラメータ算出手段２０３と同一の処理）。ホワイトバランスの調整係数は、初期状態の値を１．０とするゲインである。
ＲＧＢ各色の調整係数を夫々Ｒｇａｄｊ、Ｇｇａｄｊ、Ｂｇａｄｊとし、ＲＧＢのうち最も劣化が大きい色がＢであり、最も劣化が小さい色をＲとすると、下記の関係がなりたつ。
１  ＝  Ｂｇａｄｊ  ＞  Ｇｇａｄｊ  ＞  Ｒｇａｄｊ  ＞  ０
【００７０】
リミッタ付きガンマ処理パラメータ算出手段６０１が記憶するリミッタ情報は、ガンマ処理手段２０１においてホワイトバランスを調整する際の調整係数の下限を設定する。ＲＧＢ各色のリミッタ情報を夫々Ｌｒ、Ｌｇ、Ｌｂとすると、
０  ≦  Ｌｒ  ≦  １
０  ≦  Ｌｇ  ≦  １
０  ≦  Ｌｂ  ≦  １
である。
【００７１】
リミッタ付きガンマ処理パラメータ算出手段６０１は、リミッタ情報に基づいて、ＲＧＢ各色の調整係数（リミッタ付きガンマ処理パラメータ）を算出する。リミッタ情報を考慮したＲの調整係数をＲｇｌとするとＲｇａｄｊ  ＞  Ｌｒ  の場合、
Ｒｇｌ  ＝  Ｒｇａｄｊ
となり、Ｒｇａｄｊ  ≦  Ｌｒ  の場合、
Ｒｇｌ  ＝  Ｌｒ
となる。同様にリミッタ情報を考慮したＧの調整係数をＧｇｌとするとＧｇａｄｊ  ＞  Ｌｇ  の場合、
Ｇｇｌ  ＝  Ｇｇａｄｊ
となり、Ｒｇａｄｊ  ≦  Ｌｇ  の場合、
Ｇｇｌ  ＝  Ｌｇ
となる。同様にリミッタ情報を考慮したＢの調整係数をＢｇｌとするとＢｇａｄｊ  ＞  Ｌｂ  の場合、
Ｂｇｌ  ＝  Ｂｇａｄｊ
となり、Ｒｇａｄｊ  ≦  Ｌｇ  の場合、
Ｂｇｌ  ＝  Ｌｂ
となる。
【００７２】
ガンマ処理手段２０１が入力する色補正Ｒ映像信号をＲｏ、色補正Ｇ映像信号をＧｏ、色補正Ｂ映像信号をＢｏとし、ガンマ処理手段２０１が出力するガンマ補正Ｒ映像信号をＲｇ、ガンマ補正Ｇ映像信号をＧｇ、ガンマ補正Ｂ映像信号をＢｇとすると、
Ｒｇ  ＝  Ｒｇｌ  ×  Ｒｏ
Ｇｇ  ＝  Ｇｇｌ  ×  Ｇｏ
Ｂｇ  ＝  Ｂｇｌ  ×  Ｂｏ
の関係を成立する。Ｒｇｌ、Ｇｇｌ、Ｂｇｌは、それぞれ行列式Ｇｆの対角成分である。実施の形態５においてはリミッタ情報をＲＧＢ各色に対して夫々独立に設定したが、全ての色に同一の値のリミッタ情報を設定しても良い。
【００７３】
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
【００７４】
色再現性を補正する際、色の補正を目的とした色補正手段とホワイトバランスの調整を目的としたガンマ補正手段の両方を備えているため、経年劣化に対する補正の自由度が増える。
さらにリミッタ付きガンマ処理パラメータ算出手段６０１によって、ガンマ処理手段２０１におけるホワイトバランス調整機能に制限を設ける（ガンマ処理手段２０１における各色のゲインが一定の閾値より低くならないようにする）ことにより、ホワイトバランスの調整に起因する輝度の著しい低下を避けつつ、視覚的違和感の少ない補正を実現できる。
【００７５】
実施の形態５においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００７６】
《実施の形態６》
図１４を用いて本発明の実施の形態６のＥＬカラーディスプレイ補正装置を説明する。図１４は本発明の実施の形態６の有機ＥＬカラーディスプレイの構成を示すブロック図である。実施の形態６のＥＬカラーディスプレイ補正装置は、有機ＥＬカラーディスプレイに組み込まれている。図１４において、１０１はカラーＥＬパネル、１０２は色補正手段、１０３は点灯時間累計手段、１０４は色度点劣化情報生成手段、２０１はガンマ処理手段、２０２は輝度劣化情報生成手段、２０４はガンマ入力付き色補正パラメータ算出手段、６０１はリミッタ付きガンマ処理パラメータ算出手段、７０１はユーザ対応リミッタ情報生成手段である。カラーＥＬパネル１０１は、有機ＥＬ素子を用いたカラーディスプレイ用のパネルである。図１４において、カラーＥＬパネル１０１を除く全てのブロックが、ＥＬカラーディスプレイ補正装置を構成する。
実施の形態６のＥＬカラーディスプレイ補正装置は、実施の形態５のＥＬカラーディスプレイ補正装置に、ユーザ輝度対応リミッタ情報生成手段７０１を付加したものである。
【００７７】
以上のように構成されたＥＬカラーディスプレイ補正装置の動作を以下に説明する。
カラーＥＬパネル１０１、色補正手段１０２、点灯時間累計手段１０３、色度点劣化情報生成手段１０４、ガンマ処理手段２０１、輝度劣化情報生成手段２０２、ガンマ入力付き色補正パラメータ算出手段２０４、リミッタ付きガンマ処理パラメータ算出手段６０１の動作は、本発明の実施の形態５と同じなので説明を省略する。
【００７８】
ユーザ輝度対応リミッタ情報生成手段７０１は、ユーザが入力した指令（ユーザ輝度情報）に基づきリミッタ情報の値Ｌｒ、Ｌｇ、Ｌｂを決定する。ユーザ輝度情報は、カラーＥＬパネル１０１の輝度を調整するためのものである。ユーザは、カラーＥＬパネルに対話形式で表示される設定メニューを変更することにより、ユーザ輝度情報を変更する。実施の形態６のユーザ輝度対応リミッタ情報生成手段７０１は、ユーザ輝度情報のみに基づいてリミッタ情報の値Ｌｒ、Ｌｇ、Ｌｂを決定する。しかしこれに限られるものではなく、本発明において、ユーザ輝度情報の入力方法、及びユーザ輝度対応リミッタ情報生成手段７０１がリミッタ情報の値Ｌｒ、Ｌｇ、Ｌｂを決定する方法は任意である。
【００７９】
ユーザ輝度対応リミッタ情報生成手段７０１が出力したリミッタ情報Ｌｒ、Ｌｇ、Ｌｂは、リミッタ付きガンマ処理パラメータ算出手段６０１に入力される。リミッタ情報Ｌｒ、Ｌｇ、Ｌｂは、実施の形態５と同様に、ガンマ処理手段２０１においてホワイトバランスを調整する際の調整係数の下限を設定する。ＲＧＢ各色のリミッタ情報Ｌｒ、Ｌｇ、Ｌｂは、
０  ≦  Ｌｒ  ≦  １
０  ≦  Ｌｇ  ≦  １
０  ≦  Ｌｂ  ≦  １
である。
【００８０】
ユーザ輝度対応リミッタ情報生成手段７０１は、ユーザ輝度情報の値が大きい程（ユーザが指定するカラーＥＬパネル１０１の輝度が高い程）、リミッタ情報Ｌｒ、Ｌｇ、Ｌｂを大きくし、ユーザ輝度情報の値が小さい程（ユーザが指定するカラーＥＬパネル１０１の輝度が低い程）、リミッタ情報Ｌｒ、Ｌｇ、Ｌｂを小さくする。このような処理を行うことでユーザ輝度情報で設定するカラーＥＬパネル１０１の輝度が高い程、リミッタ情報の値が大きくなり、ガンマ処理手段２０１においてホワイトバランスを調整する際の調整係数の下限が大きくなる。経時的変化によりカラーＥＬパネル１０１のＲＧＢの各サブピクセルの輝度が所定の閾値以下に低下した場合、ユーザ輝度情報の値が大きい程、カラーＥＬパネル１０１が表示する輝度が高くなる。ユーザ輝度情報とリミッタ情報との関係式は任意である。
実施の形態６においてはリミッタ情報をＲＧＢ各色に対して夫々独立に設定したが、全ての色に同一の値のリミッタ情報を設定しても良い。
【００８１】
このように本発明の実施の形態によれば、予め経年変化による色度点の劣化特性を記憶し、累計したＲＧＢの点灯時間から現在の色度点の劣化状態を予測し、その予測した劣化に基づき色補正を行い、且つ予め経年変化による色バランスの劣化特性を記憶し、累計したＲＧＢの点灯時間から現在の色バランスの劣化状態を予測し、その予測した劣化に基づき各色の輝度補正を行うので、ＥＬカラーディスプレイの色再現性及び輝度バランスが初期状態と比べ経年劣化しても、その色再現性及び輝度バランスを補正する。これにより、カラーＥＬディスプレイの表示品位の劣化を軽減できる。
【００８２】
色再現性を補正する際、色の補正を目的とした色補正手段とホワイトバランスの調整を目的としたガンマ補正手段の両方を備えているため、経年劣化に対する補正の自由度が増える。
さらにユーザ輝度情報に応じて、ガンマ処理手段２０１におけるホワイトバランス調整機能に制限を設ける（ガンマ処理手段２０１における各色のゲインが一定の閾値より低くならないようにする）ことにより、ホワイトバランスの調整に起因する輝度の著しい低下を避けつつ、視覚的違和感の少ない補正を実現できる。
【００８３】
実施の形態６においては、色補正手段１０２における色補正は、経年変化により劣化した状態におけるＥＬカラーディスプレイの色再現性を初期状態のＥＬカラーディスプレイの色再現性に近似させる処理であるとした。これに代えて、色補正手段における色補正は、特定の色域での色再現性を重視した色補正や、主観評価にて良好な画質が得られるような色補正であっても良い。
【００８４】
実施の形態１〜６のＥＬカラーディスプレイ補正装置は、有機ＥＬカラーディスプレイに組み込まれていた。ＥＬカラーディスプレイ補正装置は、有機ＥＬカラーディスプレイと別個独立の装置であっても良い。
上記の実施の形態において表示パネルは３色並置方式のカラーＥＬパネルとして説明したが、表示パネルはそれ以外の方式のカラーＥＬパネル又はカラーＥＬパネル以外のＣＲＴやＰＤＰ等の表示デバイスであっても良い。
【００８５】
【発明の効果】
以上説明したように本発明は、予め経年変化による色度点及び輝度バランスの劣化特性を記憶し、累計したＲＧＢの点灯時間から現在の劣化状態を予測し、その予測した劣化状態に基づき色補正及び輝度バランスの補正を行う。本発明によれば、カラーＥＬディスプレイのＲＧＢの各発光素子の輝度が経時的に低下するのに応じて、ＲＧＢの各発光素子の輝度レベルを適切に補正し、カラーＥＬディスプレイの色再現性の劣化及び輝度バランスの劣化を軽減する（表示品位の劣化を軽減する）ＥＬカラーディスプレイ補正装置を実現できるという有利な効果が得られる。
【図面の簡単な説明】
【図１】本発明の実施の形態１におけるＥＬカラーディスプレイ補正装置の構成を示すブロック図
【図２】有機ＥＬ素子の輝度の経時的な劣化特性の例を示すグラフ
【図３】従来例１の方式におけるガンマテーブルの特性例を示すグラフ
【図４】従来例１の方式における一定の時間が経過した時点での補正されたガンマテーブル特性例を示すグラフ
【図５】ＣＩＥｘｙ色度図
【図６】初期状態でのＥＬカラーディスプレイの色再現領域の例
【図７】経年変化で劣化したＥＬカラーディスプレイの色再現領域の例
【図８】本発明の実施の形態２におけるＥＬカラーディスプレイ補正装置の構成を示すブロック図
【図９】
経時変化によるホワイトバランスのずれを補正する従来例１の方式の特性と（図９（Ａ））実施の形態２による補正の特性と（図９（Ｂ））を模式的に示す図
【図１０】
本発明の実施の形態３におけるＥＬカラーディスプレイ補正装置の構成を示すブロック図
【図１１】
本発明の実施の形態３における劣化率差Ｋｒと重み付け情報αとの関係を示すグラフ
【図１２】
本発明の実施の形態４におけるＥＬカラーディスプレイ補正装置の構成を示すブロック図
【図１３】
本発明の実施の形態５におけるＥＬカラーディスプレイ補正装置の構成を示すブロック図
【図１４】
本発明の実施の形態６におけるＥＬカラーディスプレイ補正装置の構成を示すブロック図
【符号の説明】
１０１  カラーＥＬパネル
１０２  色補正手段
１０３  点灯時間累計手段
１０４  色度点劣化情報生成手段
２０１  ガンマ処理手段
２０２  輝度劣化情報生成手段
２０３  ガンマ処理パラメータ算出手段
２０４  ガンマ入力付き色補正パラメータ算出手段
３０１  重み付け機能付きガンマ処理パラメータ算出手段
４０１  輝度劣化情報対応重み付け情報生成手段
５０１  ユーザ輝度対応重み付け情報生成手段
６０１  リミッタ付きガンマ処理パラメータ算出手段
７０１  ユーザ情報対応リミッタ情報生成手段
【図１】
2004325565.tif 000008
【図２】
2004325565.tif 000009
【図３】
2004325565.tif 000010
【図４】
2004325565.tif 000011
【図５】
2004325565.tif 000012
【図６】
2004325565.tif 000013
【図７】
2004325565.tif 000014
【図８】
2004325565.tif 000015
【図９】
2004325565.tif 000016
【図１０】
2004325565.tif 000017
【図１１】
2004325565.tif 000018
【図１２】
2004325565.tif 000019
【図１３】
2004325565.tif 000020
【図１４】
2004325565.tif 000021